(57)【要約】【課題】外部環境や印刷速度によらず、予め決められた数のインク滴だけで確実な予備吐出を実行できる予備吐出方法を提供する。【解決手段】プリンタで使用されるインクの種類、プリンタの外部環境及び印刷速度のうちの少なくともいずれか一つに基づいて、休止拡散時間（Ｔ２）を変えることにより、予備吐出の際にノズルから吐出されるインク滴の運動エネルギの大きさを変えることができるので、紙面予備吐出の回数を増やさなくても印字ヘッドを回復させられる。このため、紙面予備吐出によって増粘インクを排出して印字ヘッドを回復できると共に画像品位の向上を図れる。【選択図】図１１
2008094007.tif 000002
【特許請求の範囲】
【請求項１】
ノズル中のインクに気泡を形成することにより該ノズルから記録媒体にインク滴を吐出して画像を形成するインクジェット方式画像形成装置における、該ノズルからのインク吐出の不良を防止するために該ノズルからインク滴を予備吐出する予備吐出方法において、
前記予備吐出の際に前記ノズルから吐出されるインク滴の運動エネルギの大きさを変えることを特徴とする予備吐出方法。
【請求項２】
前記運動エネルギの大きさを変えるに当たっては、インクの種類、外部環境、及び印刷速度のうちの少なくともいずれか一つに基づいて前記運動エネルギの大きさを変えることを特徴とする請求項１に記載の予備吐出方法。
【請求項３】
画像形成中の記録媒体に前記予備吐出のインク滴を吐出することを特徴とする請求項１又は２に記載の予備吐出方法。
【請求項４】
前記印刷速度が遅くなるに伴って前記運動エネルギを大きくする一方、前記印刷速度が速くなるに伴って前記運動エネルギを小さくすることを特徴とする請求項１、２、又は３に記載の予備吐出方法。
【請求項５】
インク中の水分が蒸発し易い前記外部環境になるに伴って前記運動エネルギを大きくする一方、インク中の水分が蒸発しにくい前記外部環境になるに伴って前記運動エネルギを小さくすることを特徴とする請求項１から４までのうちのいずれか一項に記載の予備吐出方法。
【請求項６】
前記ノズル中のインク滴に運動エネルギを付与する際に、ノズル内のインクの粘性を低下させてインク吐出効率を高めるために予備的にインクを温める予備加熱時間Ｔ１、この予備加熱時間Ｔ１による熱をノズル内のインクに拡散させる休止拡散時間Ｔ２、及び膜沸騰を生じさせてインク滴を吐出させるためにインクを加熱する、休止拡散時間Ｔ２に続く発泡加熱時間Ｔ３の３段階に別けることを特徴とする請求項１から５までのうちのいずれか一項に記載の予備吐出方法。
【請求項７】
前記運動エネルギの大きさを変える際に、前記予備加熱時間Ｔ１、前記休止拡散時間Ｔ２、前記発泡加熱時間Ｔ３のうちのいずれかの時間を変更することを特徴とする請求項６に記載の予備吐出方法。
【請求項８】
前記予備加熱時間Ｔ１、前記休止拡散時間Ｔ２、前記発泡加熱時間Ｔ３のうちのいずれかの時間を変更する際に、前記ノズルから予備吐出されるインク滴の主滴及び副滴双方の着弾位置の差を所定範囲内にすることを特徴とする請求項７に記載の予備吐出方法。
【請求項９】
前記休止拡散時間Ｔ２は、
該休止拡散時間Ｔ２が長くなると共に、前記ノズルから予備吐出されるインク滴の吐出速度が速くなる範囲内の時間であることを特徴とする請求項６、７、又は８に記載の予備吐出方法。
【請求項１０】
請求項１から９までのうちのいずれか一項に記載の予備吐出方法が実行されることを特徴とするインクジェット方式画像形成装置。
【発明の詳細な説明】
【技術分野】
【０００１】
本発明は、印字ヘッドのノズルから吐出されるインク滴の吐出不良を防止するためにこのノズルからインク滴を予備吐出する予備吐出方法、及びこの予備吐出方法が実行されるインクジェット方式画像形成装置に関する。
【背景技術】
【０００２】
印字ヘッド（記録ヘッド）に形成されたノズル内のインクに熱エネルギを供給して膜沸騰による気泡を形成し、この気泡の形成によってインクをノズルから記録媒体に吐出して画像を記録する（画像形成する）インクジェット方式画像形成装置が広く知られている。このタイプのインクジェット方式画像形成装置に用いられる記録ヘッドとしては、いわゆるラインヘッドが用いられることがある。ラインヘッドとしては、記録速度（画像形成速度）を向上する等のために、インク吐出口が形成されたノズルを複数集積したマルチノズルヘッドが使用されることが多い。ラインヘッドを用いたインクジェット方式画像形成装置では、通紙方向（記録媒体の搬送方向）に直交する直交方向に延びる複数のラインヘッドを通紙方向に並べて固定しておき、これら複数のラインヘッドの下に記録媒体を移動させながらこの記録媒体にインクを吐出して画像を形成する。
【０００３】
一般にプリンタには高速記録、高解像度、高画像品位などが要求されており、これらの要求を上記のインクジェット方式画像形成装置は満たしている。また、インクジェット方式画像形成装置では印字ヘッドが記録媒体に非接触であるので、非常に安定な記録が可能である。しかし、インクジェット方式画像形成装置では流体であるインクを扱うので、流体力学的な種々の不都合が印字ヘッドやその近傍で発生する。また、インクは液体であるので、その粘度などの性質は環境温度や放置時間によって随時変わっていく。このようなインクの性質の変化は印字（画像形成）に大きく影響を与えており、様々な問題（画質低下などのトラブル）が発生している。
【０００４】
上記のようなインクの性質の変化に起因する問題を防止して高画像品位などの要求を満たすために、インクジェット方式画像形成装置では予備吐出という動作が行われている。予備吐出とは、ノズルからのインク吐出の不良を防止するための動作であり、具体的には、画像形成のためのインク吐出とは別に、全ノズル又は不使用ノズル（画像形成に使用されずにインク吐出の無いノズル）から所定のタイミングでインクを吐出して、ノズル内の気泡や塵埃、溶媒の蒸発で増粘して記録に適さなくなったインク等の吐出不良要因を除去し、常に新鮮なインクを各ノズルに供給することによりノズル内のインクを常に印字可能な状態に保っておく動作（処理）である。予備吐出の方法としては、インク吸収体などで構成される所定のインク受けにインクを吐出する方法が知られている。この他の予備吐出方法として、ラインヘッドでロール紙等の連続紙を連続印刷する場合、印刷動作を一旦中止することによる印刷速度の低下を防ぐために、記録媒体に目立たないように直接にインク（滴）を予備吐出させる方法が知られている（例えば、特許文献１参照。）。このようにインクを予備吐出させることにより、画像形成（記録）の安定性の向上を図っている。
【０００５】
上記のようにインクはその種類や外気温度・湿度のような外部環境などによって乾燥の度合い（増粘の度合い）等が変化する。また、印刷速度が速いときはノズルから頻繁にインクが吐出されるので予備吐出の頻度を下げてもよいが、この逆に、印刷速度が遅いときは予備吐出の頻度を上げる必要がある。このようにインクが乾燥し易い外部環境になった場合や印刷速度が遅くなった場合などは、ノズルから乾燥インク等を確実に除去するために、予備吐出の間隔を短くする（予備吐出の頻度を上げる）等で対応している。
【特許文献１】特開昭５５−１３９２６９号公報
【発明の開示】
【発明が解決しようとする課題】
【０００６】
ところが、記録媒体に直接にインク滴を予備吐出（紙面予備吐出）させる方法では、予備吐出の間隔を短くした場合、画像データを記録するインク滴以外のインク滴（予備吐出のためのインク滴）が記録媒体に多量に吐出されることとなる。このため、画像品位が低下するおそれがある。一方、予備吐出のインク滴を少なくした場合、外部環境等によっては、ノズルから乾燥インク等を吐出できない（除去できない）おそれがある。
【０００７】
本発明は、上記事情に鑑み、外部環境や印刷速度によらず、予め決められた数のインク滴だけで確実な予備吐出を実行できる予備吐出方法、及びこの予備吐出方法を実行するインクジェット方式画像形成装置を提供することを目的とする。
【課題を解決するための手段】
【０００８】
上記目的を達成するための本発明の予備吐出は、ノズル中のインクに気泡を形成することにより該ノズルから記録媒体にインク滴を吐出して画像を形成するインクジェット方式画像形成装置における、該ノズルからのインク吐出の不良を防止するために該ノズルからインク滴を予備吐出する予備吐出方法において、
（１）前記予備吐出の際に前記ノズルから吐出されるインク滴の運動エネルギの大きさを変えることを特徴とするものである。
【０００９】
ここで、
（２）前記運動エネルギの大きさを変えるに当たっては、インクの種類、外部環境、及び印刷速度のうちの少なくともいずれか一つに基づいて前記運動エネルギの大きさを変えてもよい。
【００１０】
また、
（３）画像形成中の記録媒体に前記予備吐出のインク滴を吐出してもよい。
【００１１】
さらに、
（４）前記印刷速度が遅くなるに伴って前記運動エネルギを大きくする一方、前記印刷速度が速くなるに伴って前記運動エネルギを小さくしてもよい。
【００１２】
さらにまた、
（５）インク中の水分が蒸発し易い前記外部環境になるに伴って前記運動エネルギを大きくする一方、インク中の水分が蒸発しにくい前記外部環境になるに伴って前記運動エネルギを小さくしてもよい。
【００１３】
さらにまた、
（６）前記ノズル中のインク滴に運動エネルギを付与する際に、ノズル内のインクの粘性を低下させてインク吐出効率を高めるために予備的にインクを温める予備加熱時間Ｔ１、この予備加熱時間Ｔ１による熱をノズル内のインクに拡散させる休止拡散時間Ｔ２、及び膜沸騰を生じさせてインク滴を吐出させるためにインクを加熱する、休止拡散時間Ｔ２に続く発泡加熱時間Ｔ３の３段階に別けてもよい。
【００１４】
さらにまた、
（７）前記運動エネルギの大きさを変える際に、前記予備加熱時間Ｔ１、前記休止拡散時間Ｔ２、前記発泡加熱時間Ｔ３のうちのいずれかの時間を変更してもよい。
【００１５】
さらにまた、
（８）前記予備加熱時間Ｔ１、前記休止拡散時間Ｔ２、前記発泡加熱時間Ｔ３のうちのいずれかの時間を変更する際に、前記ノズルから予備吐出されるインク滴の主滴及び副滴双方の着弾位置の差を所定範囲内にするようにしてもよい。
【００１６】
さらにまた、
（９）前記休止拡散時間Ｔ２は、該休止拡散時間Ｔ２が長くなると共に、前記ノズルから予備吐出されるインク滴の吐出速度が速くなる範囲内の時間であってもよい。
【００１７】
ここでいう外部環境とは、インクジェット方式画像形成装置の周辺の温度や湿度をいう。
【発明の効果】
【００１８】
本発明の予備吐出方法では、例えば印刷速度が遅くなったときや外部の湿度が低いときは不使用ノズル（画像形成に使用されずにインク吐出の無いノズル）内のインク（インク吐出口の近傍のインク）から水分が蒸発し易くてこのインクの粘性が高くなり易く、このような粘性の高いインクは予備吐出の際に吐出されにくいことがあるが、このような場合であっても、予備吐出の際にノズルからインクを吐出する運動エネルギを増大させるので、粘性の高いインクをノズルから確実に吐出できる。従来では上記のように印刷速度が遅くなったときや外部の湿度が低いときには予備吐出の回数を増やしていたが、本発明では予備吐出の回数を増やさずに上記の運動エネルギを増大する。従って、予備吐出のインク滴を記録媒体に吐出する紙面予備吐出として本発明の予備吐出方法を採用すれば記録媒体には、予め決められた数のインク滴しか吐出されないので、予備吐出に起因する画質の低下が防止される。一方、従来の予備吐出方法によれば、記録媒体に非常に多数のインク滴が吐出されて画質が低下することがある。また、本発明の予備吐出方法では、外部環境や印刷速度によらず、予め決められた数のインク滴だけで確実に予備吐出を実行でき、印字ヘッドを回復できる。従って、予備吐出の際に、むやみに多くのインク滴を吐出しなくても予備吐出の目的を達成できるので、高画像品位を図ることができる。
【発明を実施するための最良の形態】
【００１９】
本発明は、印字ヘッドに形成された複数のノズルから記録媒体にインクを吐出して画像を形成するインクジェット方式のプリンタに実現された。
【実施例１】
【００２０】
図１を参照して、本発明の予備吐出方法が実行されるプリンタの一例を説明する。
【００２１】
図１は、本発明の予備吐出方法が実行されるプリンタの一例を模式的に示す正面図である。
【００２２】
プリンタ１０は、このプリンタ１０に画像情報を送るホストＰＣ（パソコン）１２に接続されている。プリンタ１０には、４つ（４本）の印字ヘッド２２Ｋ、２２Ｃ、２２Ｍ、２２Ｙが記録媒体（ここではロ−ル紙）Ｐの搬送方向（矢印Ａ方向）に並んで配置されている。４つの印字ヘッド２２Ｋ、２２Ｃ、２２Ｍ、２２Ｙからはそれぞれ黒、シアン、マゼンタ、イエローの各色のインクが吐出される。これら４つの印字ヘッド２２Ｋ、２２Ｃ、２２Ｍ、２２Ｙは、所謂ラインヘッドであり、図１の紙面に直交する方向（矢印Ａ方向に直交する方向）に延びている。これら４つの印字ヘッド２２Ｋ、２２Ｃ、２２Ｍ、２２Ｙの長さは、プリンタ１０で印字できる記録媒体のうち最大の幅（図１の紙面に直交する方向の長さ）よりもやや長い。また、これら４つの印字ヘッド２２Ｋ、２２Ｃ、２２Ｍ、２２Ｙは、画像形成中は固定されて動かない（不動状態である）。
【００２３】
４つの印字ヘッド２２Ｋ、２２Ｃ、２２Ｍ、２２Ｙから安定してインクを吐出できるように、プリンタ１０には回復ユニット４０が組み込まれている。この回復ユニット４０によって、印字ヘッド２２Ｋ、２２Ｃ、２２Ｍ、２２Ｙからのインク吐出状態は初期のインク吐出状態に回復する。回復ユニット４０には、回復動作のときに４つの印字ヘッド２２Ｋ、２２Ｃ、２２Ｍ、２２Ｙのインク吐出口形成面２２Ｋｓ、２２Ｃｓ、２２Ｍｓ、２２Ｙｓからインクを除去するキャッピング機構５０が備えられている。キャッピング機構５０は各印字ヘッド２２Ｋ、２２Ｃ、２２Ｍ、２２Ｙに独立して設けられており、図１の例では６色分（即ち、６つのキャッピング機構５０）が示されているが、このうち２色分は印字ヘッド追加時の予備的な機構である。キャッピング機構５０は、周知のブレード、インク除去部材、ブレード保持部材、キャップ等から構成されている。
【００２４】
ロ−ル紙Ｐはロール紙供給ユニット２４から供給され、プリンタ１０に組み込まれた搬送機構２６によって矢印Ａ方向に搬送される。搬送機構２６は、ロ−ル紙Ｐを載置して搬送する搬送ベルト２６ａ、この搬送ベルト２６ａを回転させる搬送モータ２６ｂ、搬送ベルト２６ａに張力を与えるローラ２６ｃなどから構成されている。
【００２５】
ロ−ル紙Ｐに画像を形成する際には、搬送中のロ−ル紙Ｐの記録開始位置がブラックの印字ヘッド２２Ｋの下に到達した後に、記録データ（画像情報）に基づいて印字ヘッド２２Ｋからブラックインクを選択的に吐出する。同様に印字ヘッド２２Ｃ、印字ヘッド２２Ｍ、印字ヘッド２２Ｙの順に、各色のインクを吐出してカラー画像をロ−ル紙Ｐに形成する。プリンタ１０には、上記の部品・部材の他、各印字ヘッド２２Ｋ、２２Ｃ、２２Ｍ、２２Ｙに供給されるインクを貯めておくメインタンク２８Ｋ、２８Ｃ、２８Ｍ、２８Ｙや、印字ヘッド２２Ｋ、２２Ｃ、２２Ｍ、２２Ｙにインクを供給したり回復動作をしたりするための各種ポンプ（図示せず）などが備えられている。
【００２６】
プリンタ１０では、画像形成中のロール紙Ｐに、画像形成に寄与するインク滴以外のインク滴を吐出する予備吐出が所定のタイミングで実行される。この予備吐出については後述する。
【００２７】
図２を参照して、プリンタ１０の電気的な系統を説明する。
【００２８】
図２は、図１のプリンタの電気的な系統を示すブロック図である。
【００２９】
ホストＰＣ１２から送信された記録データやコマンドはインターフェイスコントローラ１０２を介してＣＰＵ１００に受信される。ＣＰＵ１００は、プリンタ１０の記録データの受信、記録動作、ロ−ル紙Ｐのハンドリング等全般の制御を掌る演算処理装置である。ＣＰＵ１００では、受信したコマンドを解析した後に、記録データの各色成分のイメージデータをイメージメモリ１０６にビットマップ展開して描画する。記録前の動作処理としては、出力ポート１１４、モータ駆動部１１６を介してキャッピングモータ１２２とヘッドアップダウンモータ１１８を駆動し、各印字ヘッド２２Ｋ、２２Ｃ、２２Ｍ、２２Ｙをキャッピング機構５０から離して記録位置（画像形成位置）に移動させる。
【００３０】
続いて、出力ポート１１４、モータ駆動部１１６を介してロ−ル紙Ｐを繰り出すロールモータ（図示せず）、及び低速度でロ−ル紙Ｐを搬送する搬送モータ１２０等を駆動してロ−ル紙Ｐを記録位置に搬送する。一定速度で搬送されるロ−ル紙Ｐにインクを吐出し始めるタイミング（記録タイミング）を決定するための先端検知センサ（図示せず）でロ−ル紙Ｐの先端位置を検出する。その後、ロ−ル紙Ｐの搬送に同期して、ＣＰＵ１００はイメージメモリ１０６から対応する色の記録データを順次に読み出し、この読み出したデータを各印字ヘッド２２Ｋ、２２Ｃ、２２Ｍ、２２Ｙに印字ヘッド制御回路１１２を経由して（介して）転送する。
【００３１】
ＣＰＵ１００の動作はプログラムＲＯＭ１０４に記憶された処理プログラムに基づいて実行される。プログラムＲＯＭ１０４には、制御フローに対応する処理プログラム、後述する予備吐出方法を実行するためのプログラム、及びテーブルなどが記憶されている。また、作業用のメモリとしてワークＲＡＭ１０８を使用する。各印字ヘッド２２Ｋ、２２Ｃ、２２Ｍ、２２Ｙのクリーニングや回復動作時に、ＣＰＵ１００は、出力ポート１１４、モータ駆動部１１６を介してポンプモータ１２４を駆動し、インクの加圧、吸引等の制御を行う。また、予備吐出のために、画像形成中のロール紙Ｐに各印字ヘッド２２Ｋ、２２Ｃ、２２Ｍ、２２Ｙからインク滴を吐出する際は、プログラムＲＯＭ１０４に記憶された予備吐出プログラムに基づいて印字ヘッド制御回路１１２が各印字ヘッド２２Ｋ、２２Ｃ、２２Ｍ、２２Ｙを制御して予備吐出を実行する。
【００３２】
図３を参照して印字ヘッド２２Ｋのノズル２２Ｋｎの構造を説明する。他の印字ヘッド２２Ｙ，２２Ｍ，２２Ｃのノズルも同一の構造である。図３は、ノズルとその周辺部を示す断面図である。図３には、１つのノズル２２Ｋｎしか示していないが、印字ヘッド２２Ｋには多数のノズルが並んで形成されている。
【００３３】
印字ヘッド２２Ｋには、インクを吐出する多数のノズル２２Ｋｎが、図３の紙面の垂直方向に並んで形成されている。多数のノズル２２Ｋｎは、インクが貯められた共通液室１５０につながっている（連通している）。この共通液室１５０はサブタンク（図示せず）につながっており、サブタンクから共通液室１５０にインクが供給される。
【００３４】
ノズル２２Ｋｎには、このノズル２２Ｋｎ内のインク中で発泡させる（気泡を形成させる）ための発熱体１５２が配置されている。発熱体１５２に通電して発熱させることによりノズル２２Ｋｎ内のインク中で泡（気泡）が発生し、ノズル２２Ｋｎの出口（インク吐出口１５４）からインク滴が押し出されて吐出される。このインク滴の吐出については、図４を参照して後述する。
【００３５】
発熱体１５２は、シリコン素子基板１５６上に周知の技術で形成されている。このシリコン素子基板１５６には、後述するメニスカスＭの近傍においてインクの濡れ性を均一化させるためにシリコン天板１５８とノズルＩ１６０が形成されており、これらシリコン天板１５８とノズルＩ１６０はノズル２２Ｋｎの内壁に面している。シリコン天板１５８とノズルＩ１６０は樹脂で被覆されている。ノズルＩ１６０はノズル２２Ｋｎのインク吐出口１５４の近傍の内壁に形成されて、インク吐出口１５４を狭めている。
【００３６】
上記した共通液室１５０もシリコン素子基板１５６に形成されている。また、発熱体１５２による発泡時にエネルギーを効率良くインク吐出方向（矢印Ｄ方向）に向かわせる弁１６２や、シリコン天板１５８からノズル２２Ｋｎ内部に向かって垂直方向に延びる流路壁１６４もシリコン素子基板１５６に形成されている。ノズルＩ１６０は、多数のノズル２２Ｋｎ等を作製する場合においてシリコン天板１５８を切断するときに欠け（チッピング）を生じさせないためのものである。シリコン素子基板１５６のうち共通液室１５０に面する部分にはサブヒータ１６６が形成されており、このサブヒータ１６６は、印字ヘッド２２Ｋ内のインクの温度を一定に保って粘性を安定させることによりインクの安定吐出範囲内で印字させることを目的としている。
【００３７】
発熱体１５２は電気抵抗層及び配線をパタ−ンニングして形成されたものである。この配線を経由して電気抵抗層に電圧を印加して電流を流すことにより発熱体１５２が発熱する。この発熱によって発熱体１５２の表面部分のインクを発泡させ、インク吐出口１５４からインクを押し出して吐出させている。また、シリコン素子基板１５６と発熱体１５２に蓄積された熱の温度（蓄熱温度）を検知するためのＤｉセンサ（図示せず）がシリコン素子基板１５６に配置されており、このＤｉセンサが検知した検知温度に応じて印字ヘッド２２Ｋの駆動条件が決定される。
【００３８】
ノズル２２Ｋｎ中での発泡からインクの着弾までについて、図４を参照して説明する。
【００３９】
図４（ａ）は、発熱体を発熱させる前の待機状態を示す模式図であり、（ｂ）は、発熱体が発熱してインク中に泡が発生すると同時にインク吐出口からインクが押し出された状態を示す模式図であり、（ｃ）は、消泡すると共にインク吐出口から吐出したインク滴が主滴と副滴に分離した状態を示す模式図であり、（ｄ）は、主滴が記録媒体に着弾した状態を示す模式図であり、（ｅ）は、主滴に遅れて副滴が記録媒体に着弾した状態を示す模式図である。図４では、図３に示す構成要素と同一の構成要素には同一の符号が付されている。
【００４０】
発熱体を発熱させる前の待機状態では、ノズル２２Ｋｎ内のインクには水頭差に相当する負圧が作用しており、このため、（ａ）に示すように、インク吐出口１５４にはメニスカスＭが形成されている。この待機状態のときに、ホストＰＣ１２（図１参照）から印刷データ（画像情報）がプリンタ１０へ送られ、この印刷データが印字ヘッド２２Ｋにヒート信号として送られる。これにより発熱体１５２が発熱して、（ｂ）に示すように、発熱体１５２の界面からインク中に泡Ｂが生じる（発泡する）と同時にインク吐出口１５４の近傍のインクがインク吐出口１５４から押し出される。
【００４１】
続いて、発熱体１５２の発熱が終了すると共に、生じた泡Ｂは消滅し（消泡し）、同時に、（ｃ）に示すように、メニスカスＭはノズル２２Ｋｎの奥の位置まで後退する。一方、吐出されたインク滴Ｉｄは、主滴ｍと副滴（サテライト）ｓに分離する。サテライトｓは、（ｃ）に示すようなメニスカスＭの後退の影響を受けて、インク吐出方向（矢印Ｄ方向）とは反対方向のベクトルの力を受けるので、主滴ｍよりも吐出速度が遅くなる。インク吐出口１５４からインク滴Ｉｄが吐出した後、後退したメニスカスＭの位置は、ノズルＫｎの毛細管力（リフィル）によって、（ｄ）に示すように待機状態まで復帰する。一方、吐出したインク滴Ｉｄの主滴ｍは、搬送中の記録媒体Ｐ上に着弾する。主滴ｍが記録媒体Ｐに着弾した後、サテライトｓがこの記録媒体Ｐに着弾するまでの間、記録媒体Ｐは矢印Ａ方向（搬送方向）に搬送される（移動する）ので、（ｅ）に示すように、記録媒体Ｐの主滴ｍ（記録媒体Ｐに吸収されている）が着弾した位置よりも矢印Ａ方向上流側に副滴ｓが着弾する。この結果、主滴ｍと副滴ｓでは、着弾位置にずれＬが発生する。このずれＬの距離（間隔）は、記録媒体Ｐの搬送速度が速くなるほど長くなる（大きくなる）。このように一つのインク滴Ｉｄの主滴ｍと副滴ｓが記録媒体Ｐ上の相違する位置に着弾したときは画質が低下する。
【００４２】
予備吐出の際も上記と同じ手順でインク滴を吐出する。予備吐出の場合、各印字ヘッド２２Ｋ、２２Ｃ、２２Ｍ、２２Ｙに形成された全ノズルのうち不使用ノズルだけからインク滴を吐出してもよいし、全ノズルからインク滴を吐出してもよい。
【００４３】
図５を参照して、発熱体１５２（図３参照）を発熱させるタイミングについて説明する。
【００４４】
図５は、発熱体を発熱させるタイミングを示す説明図である。
【００４５】
図４を参照して説明したように発熱体１５２を発熱させてインク吐出口１５４（図４参照）からインク滴を吐出させるためには、予備加熱時間Ｔ１（図５のプレヒート信号ＰＨがＯＮで、メインヒート信号ＭＨがＯＦＦの時間）、休止拡散時間Ｔ２（プレヒート信号ＰＨ及びメインヒート信号ＭＨともにＯＦＦの時間）、発泡加熱時間Ｔ３（図５のメインヒート信号ＭＨがＯＮで、プレヒート信号ＰＨがＯＦＦの時間）からなる３つの段階を経る。図５のＰＨの右側に示す折れ線のうち高い部分（ＯＦＦで示す直線）は、発熱体１５２に通電されていないことを表し、折れ線のうち低い部分（ＯＮで示す直線）は、予備加熱のために発熱体１５２に通電されていることを表している。また、図５のＭＨの右側に示す折れ線のうち高い部分（ＯＦＦで示す直線）は、発熱体１５２に通電されていないことを表し、折れ線のうち低い部分（ＯＮで示す直線）は、発泡加熱のために発熱体１５２に通電されていることを表している。
【００４６】
インク吐出口１５４（図４等参照）からインクを吐出するに際しては、プレヒート信号ＰＨがＯＮである時間（Ｔ１）内にノズル２２Ｋｎ内のインクを温めることによりこのインクの粘度を低めてインク吐出効率を上げる。予備加熱時間Ｔ１が経過した後、休止拡散時間Ｔ２だけ発熱体１５２をＯＦＦにする（発熱体１５２に通電しない）。休止拡散時間Ｔ２が経過した後、発泡加熱時間Ｔ３だけ発熱体１５２をＯＮにする（発熱体１５２に通電する）。メインヒート信号ＭＨがＯＮである時間（Ｔ３）内に発熱体１５２（図３等参照）の表面で膜沸騰を起こさせてインクを吐出させる（図４の説明を参照）。
【００４７】
プレヒート信号ＰＨがＯＮの時間帯とメインヒート信号ＭＨがＯＮの時間帯の間に時間差（休止拡散時間Ｔ２）が存在する理由は、プレヒート信号ＰＨがＯＮのときの加熱による熱をノズル内のインクに拡散させることにより、インク吐出の効率を高めているからである。本発明では、休止拡散時間Ｔ２の長短によって、インク吐出口１５４（図４等参照）から吐出されるインク滴の運動エネルギの大きさが変化することに着目して、この運動エネルギを制御している。但し、休止拡散時間Ｔ２を極端に長くしてしまうと、外気温度の影響を受けてノズル内のインクの温度が低下してしまう。このため、本実施例では、休止拡散時間Ｔ２の時間の増加と共に上記の運動エネルギが増加する範囲内で休止拡散時間Ｔ２を制御している。また、この運動エネルギの大きさは、プリンタ１０（図１等参照）で使用するインクの種類、プリンタ１０の外部環境（温度や湿度）、及び印刷速度（記録媒体の搬送速度）のうちの少なくともいずれか一つに基づいて変える。
この運動エネルギが大きいほどインク滴はインク吐出口１５４から勢い良く吐出されるので、インク吐出口１５４に増粘インクが存在していても、後述するようにこの増粘インクもインク吐出口１５４から吐出される。また、この運動エネルギの詳細については後述する。
【００４８】
ここで、増粘インクの生成について、図６を参照して説明する。
【００４９】
図６は、インク吐出口のインクが大気中に暴露されたときの経時変化を模式的に示す断面図であり、（ａ）は、増粘インクが無い状態を示す断面図であり、（ｂ）は、粘性の低い（粘度の低い）増粘インクが生成された状態を示す断面図であり、（ｃ）は、粘性の高い（粘度の高い）増粘インクが生成された状態を示す断面図である。図６では、図３と図４に示す構成要素と同じ構成要素には同じ符号が付されている。
【００５０】
インク吐出口１５４のインクＩは空気中に暴露されることにより、空気に触れているインクＩの界面から徐々に水分が蒸発してインクＩの粘度が増し増粘してくる。インクＩが空気中に暴露される時間が短い場合は、（ａ）に示すように増粘インクは生成されない。しかし、インクＩの種類によって異なるが、インクＩが空気中に暴露される時間がある程度経ったときはインク吐出口１５４に、（ｂ）に示すように、比較的粘度の低い増粘インクがＩＺ１が生成される。インクＩが空気中に暴露される時間が長時間になったときはインク吐出口１５４に、（ｃ）に示すように、水分が完全に蒸発して溶剤だけとなった粘度の高い増粘インクＩＺ２が生成される。（ｃ）に示すように粘度の高い増粘インクＩＺ２が生成された場合、インク吐出口１５４が増粘インクＩＺ２で塞がれたような状態になるので、従来の予備吐出ではインク吐出口１５４から（ノズル２２Ｋｎから）インク滴が吐出されにくい。このような場合は、ノズル２２Ｋｎ内のインクに直接に圧力をかけてノズル２２Ｋｎからインクを押し出す。しかし、この方法ではインクが多量に排出されるだけでなく時間も要する。このため、長期間にわたって印字ヘッドを放置した場合（（ｃ）に示す増粘インクＩＺ２が生成された可能性が大きい場合）にこの方法は実行されるが、それ以外の場合では、（ｂ）に示す状態になったときに予備吐出を実行する。即ち、従来は、外部環境や印刷速度によっては（ｂ）に示す状態になり易いときは、予備吐出の頻度を高く（単位時間当たりの予備吐出回数を多く）していた。従って、紙面予備吐出をする場合、紙面予備吐出による多数のインク滴が記録媒体に着弾して画像品位を低下させていた。そこで、本発明では、（ｃ）に示す状態になっても、少ない回数の予備吐出（頻度の低い予備吐出）でインク滴を確実に吐出できるようにした。
【００５１】
図６（ｂ）に示す状態になったときに予備吐出を実行して回復させるまでのインクの挙動について図７を参照して説明する。
【００５２】
図７は、比較的粘度の低い増粘インクのときに予備吐出を実行した場合のインクの挙動を模式的に示す、（ａ）は、比較的粘度の低い増粘インクが生成された状態を模式的に示す断面図であり、（ｂ）は、予備吐出のために気泡を発生させた状態を模式的に示す断面図であり、（ｃ）は、比較的粘度の低い増粘インクを含んだインクを予備吐出させた状態を模式的に示す断面図である。この図では、図６に示す構成要素と同じ構成要素には同じ符号が付されている。
【００５３】
暴露によって増粘したインクＩＺ１は、発熱体１５２に通電して（ｂ）に示すように気泡Ｂを発生させることによる運動エネルギによって、（ｃ）に示すようにインクＩと共に吐出される。これによりノズル２２Ｋｎ内のインクをフレッシュな状態に回復できる。図７では、粘度の低い増粘インクＩＺ１を予備吐出によって除去する例を説明した。しかし、粘度の高い増粘インクＩＺ２（図６参照）は、従来の予備吐出では除去できない。このような粘度の高い増粘インクＩＺ２（図６参照）を除去できる本発明の予備吐出方法については後述する。
【００５４】
記録媒体（紙）Ｐに直接にインク滴を吐出して印字ヘッドのインク吐出状態を初期の状態に回復させる紙面予備吐出について、図８と図９を参照して説明する。
【００５５】
図８は、１２８個のノズルが形成された印字ヘッドについて１ライン（紙の搬送方向（矢印Ａ方向）に直交する幅方向（矢印Ｗ方向）の一ライン）に一つのインク滴を紙面予備吐出した状態を示す平面図である。図９は、図８と同じく１２８個のノズルが形成された印字ヘッドについて１０ラインに一つのインク滴を紙面予備吐出した状態を示す平面図である。
【００５６】
紙面予備吐出を画像形成（印刷）中に行う場合、印刷を中断させることなく連続印刷が可能となる。印字ヘッド２２Ｋ（他の印字ヘッドも同様）のインク吐出口１５４のインクは印刷中には大気中に暴露し続けるので、本実施例では、一定期間内に必ず全てのノズルからインク滴を吐出させる紙面予備吐出が実行されるものとする。ただし、紙面予備吐出の際に全てのノズルから一度にインクを吐出した場合、この紙面予備吐出によるインク滴が記録紙Ｐ上に直線的な画像を形成するので、一定期間内に各ノズルからランダム的にインク滴を吐出させる。１２８個のノズルが形成された印字ヘッド２２Ｋから記録媒体Ｐ上の１ラインに１つのインク滴（インク滴は黒丸で表し、インク滴の無い部分は白丸で表す。）を紙面予備吐出した場合、図８に示すように、紙面上には予備吐出による比較的多量のインク滴が着弾する。一方、１２８個のノズルが形成された印字ヘッドについて１０ラインに一つのインク滴を紙面予備吐出した場合、図９に示すように、紙面上には予備吐出によるインク滴は少なくて目立たない。
【００５７】
従って、印刷を中断させることなく連続印刷をするためには紙面予備吐出を実行すればよいが、紙面予備吐出の際に吐出するインク滴は少ないほど高品位の画像が得られる。本発明の予備吐出方法を用いた場合、インク吐出口のインクが乾燥し易い条件であっても、後述するように、紙面予備吐出の際に吐出するインク滴の数を従来の予備吐出よりも少なくできる。
【００５８】
ノズル内のインクが増粘する速度は、印字ヘッドの近傍の湿度が低くなるほど早くなる。このため、印字ヘッドの近傍の湿度が低くなるほど、図６（ｃ）に示すように粘度の高い増粘インクＩＺ２が生成され易くなる。従って、高画像品位を保つためには紙面予備吐出を実行する頻度を上げる必要があるが、この頻度を上げた場合は図８に示すように、紙面予備吐出のインク滴が目立って画像品位が低下する。しかし、本発明の予備吐出方法によれば、図６（ｃ）に示すように粘度の高い増粘インクＩＺ２が生成されても、後述するように、ノズルからインクを吐出する際の運動エネルギを大きくするので、紙面予備吐出の頻度を上げずに（回数を増やさずに）印字ヘッドを回復できると共に高画像品位を保つことができる。
【００５９】
図１０を参照して、印刷速度とノズル不使用時間について説明する。
【００６０】
図１０は、一つの画像と次の画像の間に紙面予備吐出する一例を模式的に示す平面図である。
【００６１】
記録媒体Ｐが矢印Ａ方向（記録媒体搬送方向）に搬送速度（印刷速度）Ｂで搬送される場合、印刷データＤ１（Ａ、Ｂ、Ｃ、黒四角）から次の印刷データＤ２（Ａ、Ｂ、黒四角）までの間隔（距離）Ｌに相当する搬送時間は、搬送速度Ｂが遅くなるほど長くなる。この間隔Ｌに相当する搬送時間はノズル内のインクが暴露される時間に相当するので、従来の紙面予備吐出では暴露時間が長くなるほど、紙面に吐出されるインク滴が多くなる。この一例を表１に示す。
【表１】
2008094007.tif 000003
【００６２】
表１では、印刷速度が遅いほど上記の間隔Ｌに相当する搬送時間は長くなり、この搬送時間は非記録時間（ノズル不使用時間）となることを表しており、この逆に、印刷速度が速いほど上記の間隔Ｌに相当する搬送時間は短くなり、この搬送時間は非記録時間（ノズル不使用時間）が短くなることを表している。
【００６３】
紙面予備吐出を実行する場合において、印刷速度が遅いとき（例えば表１の１ｍ／ｍｉｎのとき）は、ノズル内のインクが、図６（ｃ）の増粘インクＩＺ２にならないように、紙面予備吐出の頻度を上げる。このため、上述したように、従来の紙面予備吐出では、多数のインク滴が記録媒体Ｐに着弾して画像品位が低下するおそれがある。
【００６４】
しかし、本発明の予備吐出方法によれば、図６（ｃ）に示すように粘度の高い増粘インクＩＺ２が生成されても、後述するように、ノズルからインクを吐出する際の運動エネルギを大きくするので、紙面予備吐出の頻度を上げずに印字ヘッドを回復できると共に高画像品位を保つことができる。
【００６５】
図１１と図１２を参照して、図５の休止拡散時間Ｔ２に対する主滴及び副滴（サテライト）の吐出速度の関係を説明する。この関係は、本発明者らが発見したものである。
【００６６】
図１１（ａ）は、主滴と副滴を模式的に示す断面図であり、（ｂ）は、休止拡散時間Ｔ２に対する主滴及び副滴の吐出速度を表すグラフである。図１２は、休止拡散時間Ｔ２に対するインク滴の吐出量を表すグラフである。図１１では、図３に示す構成要素と同じ構成要素には同じ符号が付されている。
【００６７】
ノズル２２Ｋｎからインク滴が吐出する際のインク滴の主滴ｍの速度をＶｍとし、副滴ｓの速度をＶｓとし、インク吐出口１５４から記録媒体Ｐまでの距離をｈとし、記録媒体Ｐの搬送方向をＡとする。ノズル２２Ｋｎへのインクの供給が充分な場合、ＰＨ（Ｔ１）（図５参照）での加熱による熱がノズル２２Ｋｎ内のインクに拡散する休止拡散時間Ｔ２が増加するに伴ってインクの温度が上昇する。この結果、ノズル２２Ｋｎ内のインクの粘度が低下すると共に、発泡加熱時間Ｔ３における発泡効率が向上して、図１１（ｂ）に示すように、主滴の吐出速度がＶｍ１からＶｍ２に向けて上昇し、副滴の吐出速度もＶｓ１からＶｓ２に向けて上昇する。また、インク滴の吐出量（一つのインク滴の量）についても同様に、図１２に示すように、ＰＨ（Ｔ１）（図５参照）での加熱による熱がノズル２２Ｋｎ内のインクに拡散する休止拡散時間Ｔ２が増加するに伴ってインク滴の吐出量は、Ｖｄ１からＶｄ２に向けて増加する。
【００６８】
このように、休止拡散時間Ｔ２を変えることにより、インク滴の主滴ｍ及び副滴ｓの吐出速度Ｖｍ、Ｖｓと吐出量が変わる。休止拡散時間Ｔ２を一定条件で長くすることにより、インク滴の主滴ｍ及び副滴ｓの吐出速度Ｖｍ、Ｖｓは上昇すると共にインク吐出量Ｖｄも増加する。この逆に、休止拡散時間Ｔ２を一定条件で短くすることにより、インク滴の主滴ｍ及び副滴ｓの吐出速度Ｖｍ、Ｖｓは下降すると共にインク吐出量Ｖｄも減少する。このような知見に基づいて本発明の予備吐出方法は見出された。
【００６９】
インク滴の主滴ｍ及び副滴ｓの吐出速度Ｖｍ、Ｖｓと運動エネルギの関係を説明する。
【００７０】
ノズル２２Ｋｎから吐出される際のインク滴の運動エネルギＥは、数１に示すように、吐出量Ｍと吐出速度Ｖの二乗の積で表される。
【数１】
2008094007.tif 000004
【００７１】
図１１と図１２で説明したように休止拡散時間（Ｔ２）を増加させることにより、主滴ｍ及び副滴ｓの吐出速度Ｖｍ、Ｖｓは上昇すると共にインク吐出量Ｖｄも増加する。従って、休止拡散時間（Ｔ２）を増加させた場合、ノズル２２Ｋｎから吐出されるインク滴の運動エネルギが増加する。ただし、上述したように、休止拡散時間Ｔ２を極端に長くした場合、外気温度の影響を受けてノズル内のインクの温度が低下してしまうので、本実施例では、休止拡散時間Ｔ２の時間の増加と共に上記の運動エネルギが増加する範囲内で休止拡散時間Ｔ２を制御している。
【００７２】
休止拡散時間（Ｔ２）を変えて限界暴露時間の変化を測定した実験例を表２に示す。ここでいう限界暴露時間とは、ノズル（インク吐出口）を大気に暴露していても、予備吐出によって正常なインク吐出を行える限界の時間をいう。この限界暴露時間以内のときはインク吐出口に増粘インクが生成されても、この増粘インクを予備吐出によって吐出できるが、限界暴露時間を超えたときは予備吐出によっては増粘インク（又はその一部）を吐出できない。
【表２】
2008094007.tif 000005
【００７３】
表２に示すように、休止拡散時間（Ｔ２）を変えて予備吐出した場合、休止拡散時間（Ｔ２）が長くなるほど（ただし、表１では３μｓｅｃまでであり、上限の時間がある）限界暴露時間が延びている。例えば、休止拡散時間（Ｔ２）が１μｓｅｃのときは限界暴露時間は３４ｓｅｃであるが、休止拡散時間（Ｔ２）を３μｓｅｃにしたときは限界暴露時間は５０ｓｅｃになる。休止拡散時間（Ｔ２）を長くすることにより、数１に表すようにノズルから吐出されるインク滴の運動エネルギが増大するので、図６（ｃ）に示すように粘度の高い増粘インクＩＺ２が生成されても、この増粘インクＩＺ２も吐出されることとなる。従って、プリンタ１０（図１参照）で使用するインクの種類、プリンタ１０の外部環境及び印刷速度のうちの少なくともいずれか一つに基づいて、休止拡散時間（Ｔ２）を変えることにより、予備吐出の際にノズルから吐出されるインク滴の運動エネルギの大きさを変えることができるので、紙面予備吐出の回数を増やさなくても印字ヘッドを回復させられる。このため、紙面予備吐出によって増粘インクを排出して印字ヘッドを回復できると共に画像品位の向上を図れる。
【００７４】
なお、上記の例では、休止拡散時間（Ｔ２）を変えてインク滴の運動エネルギを変えたが、予備加熱時間Ｔ１や発泡加熱時間Ｔ３を変えてインク滴の運動エネルギを変えるようにしてもよい。
【００７５】
ところで、図１１を参照して説明したように、休止拡散時間（Ｔ２）の増加に伴い、主滴の吐出速度（Ｖｍ）と副滴の吐出速度（Ｖｓ）が増加する。このため、図４を参照して説明したように主滴の着弾位置から副滴の着弾位置までの距離（主滴―副滴距離）が長くなってしまう。この距離は、数２の式で表される。この式中の記号は、図１１の記号が表す意味と同じである。
【数２】
2008094007.tif 000006
【００７６】
この式によれば、主滴―副滴距離は、インク吐出口１５４（図１１等参照）から記録媒体Ｐまでの距離ｈが一定の場合、記録媒体Ｐの搬送速度Ｂに比例するが、インク滴の吐出速度（主滴Ｖｍ，副滴Ｖｓ）に反比例する。従って、予備吐出のためにインク滴の運動エネルギを高める場合、インク滴の吐出速度（Ｖｍ，Ｖｓ）が速くなる結果、図１１（ｂ）に示すように、主滴Ｖｍの吐出速度と副滴Ｖｓの吐出速度の差がおおきくなって主滴―副滴距離が長くなる。この主滴―副滴距離が長くなることは画質が低下することを意味する。このため、各印刷速度における休止拡散時間（Ｔ２）は、各々のプリンタ（記録装置）の主滴―副滴距離の規格内で最大の休止拡散時間（Ｔ２）を選択する必要がある。
【００７７】
表３に休止拡散時間（Ｔ２）と各印刷速度における主滴−副滴距離のテーブルの一例を示す。但し、各印刷速度における休止拡散時間（Ｔ２）は、各々のプリンタ（記録装置）の主滴―副滴距離の規格内で最大の休止拡散時間（Ｔ２）を選択する際において、印刷速度が上昇するとともに、同一ノズルにおける吐出タイミングが短くなり、休止拡散時間（Ｔ２）を伸ばしすぎた場合は、ラインプリンターのノズル列方向において全ノズルの吐出が間に合わなくなるので、上記の休止時間は、印刷速度中で許容される範囲内で選択する必要がある。
【表３】
2008094007.tif 000007
【００７８】
表３に示すように、例えば主滴−副滴距離が規格（３０μｍ）内（表３の斜線部分）の場合、印刷速度が３０ｍ／ｍｉｎのときは、休止拡散時間（Ｔ２）は１μｓｅｃ以下になる。
【００７９】
図１３を参照して、本発明の予備吐出方法の一例の手順を説明する。
【００８０】
図１３は、本発明の予備吐出方法を実行するプリンタ１０における手順の一例を示すフロー図である。
【００８１】
このフローは、プリンタ１０（図１等参照）の主電源が投入されたときに起動する。先ず、プリンタ１０に印刷データが有るか否かを判定し（Ｓ１３０１）、印刷データのある場合は、印刷データ内の印刷速度データ（Ｖ１）を検出して（Ｓ１３０２）プリンタ１０のワークＲＡＭ１０８（図２参照）に格納しておく。印刷速度データ（Ｖ１）とプリンタ１０内のプログラム上にあるヘッド駆動データ（休止拡散時間Ｔ２等に関するデータ）と印字ヘッドの主滴−副滴距離のプロファイルに基づいて、最適なヘッド駆動（発熱体１５２（図４等参照）に通電する際の制御）を確認する（Ｓ１３０３）。紙面予備吐出を実行させる指令を発して（Ｓ１３０４）印刷を開始する（Ｓ１３０５）。
【００８２】
印刷中に、ユーザー等による割り込みによって印刷速度が変更されることもあるので、一定時間間隔内又は搬送に同期したエンコーダー等によって印刷速度（Ｖ２）を確認し（Ｓ１３０６）、ワークＲＡＭ１０８に格納しておいた印刷速度（Ｖ１）と印刷速度（Ｖ２）とを比較する（Ｓ１３０７）。２つの印刷速度（Ｖ１）と印刷速度（Ｖ２）が一致しなかったときは（印刷速度に変更があったときは）、再び印刷速度（Ｖ１）とプリンタ内のプログラム上にあるヘッド駆動（休止拡散時間Ｔ２）とヘッドの主滴−副滴距離のプロファイルに基づいて、最適なヘッド駆動を確認して駆動条件（発熱体１５２（図４等参照）を発熱させる図５に示すＴ１、Ｔ２、Ｔ３等の条件）を決める（Ｓ１３０８）。上記の制御を印刷終了まで行い（Ｓ１３０９）、印刷が終了したと判定されたときは印刷待機モードに進み（Ｓ１３１０）、このフローを終了する。
【００８３】
上述したように本発明の予備吐出方法では、予備吐出の際にノズルから吐出されるインク滴の運動エネルギを増大させることにより、粘性の高いインクをノズルから確実に吐出できる。また、本発明の予備吐出方法では、外部環境や印刷速度によらず、予め決められた数のインク滴だけで確実な予備吐出を実行できるので、印字ヘッドを初期のインク吐出状態に回復できる。従って、予備吐出の際に、むやみに多くのインク滴を吐出しなくても予備吐出の目的を達成できるので、高画像品位を図ることができる。
【００８４】
上記した予備吐出方法は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。また、上記の予備吐出方法は、上記実施例の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても達成されることは言うまでもない。この場合、記憶媒体から読出されたプログラムコード自体が上記実施例の機能を実現することとなる。このプログラムコードを供給するための記憶媒体としては、例えばフロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００８５】
また、コンピュータが読出したプログラムコードを実行することにより、上記実施例の機能が実現されるだけでなく、そのプログラムコードの指示に基づきコンピュータ上で稼働しているＯＳ（オペレーティングシステム）などが実際の処理の一部または全部を行い、その処理によって上記実施例の機能が実現される場合も含まれる。さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上記実施例の機能が実現される場合も含まれる。
【実施例２】
【００８６】
本発明の実施例２として、外部環境に応じてＴ２を変更した例を挙げる。
【００８７】
図１４と図１５を参照して、本発明の予備吐出方法が実行されるプリンタの実施例２を説明する。
【００８８】
図１４は、外気温度が一定のときにおける記録ヘッド近傍の湿度と休止拡散時間Ｔ２との関係を示すグラフである。図１５は、実施例２の予備吐出方法を実行するプリンタ１０における手順の一例を示すフロー図である。
【００８９】
図１４に示すように、ヘッド近傍の湿度が上昇する（例えば１０％から３０％）に伴って、ノズル内のインクの水分が蒸発しにくくなるので、予備吐出による限界暴露時間が増加する。また、図１４には示していないが、同一の湿度では外気温度の上昇と共に、ノズル内のインクが蒸発しやすくなるので、予備吐出による限界暴露時間が減少する。表４には、湿度１０％、２０％、３０％のときの限界暴露時間と、休止拡散時間Ｔ２との具体例を示す。表４に示すように、休止拡散時間（Ｔ２）を変えて予備吐出した場合、休止拡散時間（Ｔ２）が長く、且つ、ヘッド周辺の湿度が高くなるほど（ただし、表４ではＴ２は３μｓｅｃまで、湿度は３０％までであり、上限の時間と湿度がある）限界暴露時間が延びている。例えば、休止拡散時間（Ｔ２）が１μｓｅｃで湿度が２０％のときは限界暴露時間は２９ｓｅｃであるが、休止拡散時間（Ｔ２）を３μｓｅｃで湿度が３０％のときは限界暴露時間は５０ｓｅｃになる。
【表４】
2008094007.tif 000008
【００９０】
図１５に示すフローは、プリンタ１０（図１等参照）の主電源が投入されたときに起動する。先ず、プリンタ１０に印刷データが有るか否かを判定し（Ｓ１５０１）、印刷データのある場合は、印刷データ内の印刷速度データ（Ｖ１）を検出して（Ｓ１５０２）プリンタ１０のワークＲＡＭ１０８（図２参照）に格納しておく。続いて、印字ヘッドの近傍の湿度を検出して（Ｓ１５０３）ワークＲＡＭ１０８（図２参照）に格納しておく。ヘッド近傍の湿度を検知する理由は、ヘッド駆動プロファイルにフィードバックさせるためである。印刷速度データ（Ｖ１）とプリンタ１０内のプログラム上にあるヘッド駆動データ（休止拡散時間Ｔ２等に関するデータ）と印字ヘッドの主滴−副滴距離のプロファイルに基づいて、最適なヘッド駆動（発熱体１５２（図４等参照）に通電する際の制御）を確認する（Ｓ１５０４）。紙面予備吐出を実行させる指令を発して（Ｓ１５０５）印刷を開始する（Ｓ１５０６）。
【００９１】
印刷中に、ユーザー等による割り込みによって印刷速度が変更されることもあるので、一定時間間隔内又は搬送に同期したエンコーダー等によって印刷速度（Ｖ２）を確認し（Ｓ１５０７）、ワークＲＡＭ１０８に格納しておいた印刷速度（Ｖ１）と印刷速度（Ｖ２）とを比較する（Ｓ１５０８）。２つの印刷速度（Ｖ１）と印刷速度（Ｖ２）が一致しなかったときは（印刷速度に変更があったときは）、再び印刷速度（Ｖ１）とプリンタ内のプログラム上にあるヘッド駆動（休止拡散時間Ｔ２）とヘッドの主滴−副滴距離のプロファイルに基づいて、最適なヘッド駆動を確認して駆動条件（発熱体１５２（図４等参照）を発熱させる図５に示すＴ１、Ｔ２、Ｔ３等の条件）を決める（Ｓ１５０９）。上記の制御を印刷終了まで行い（Ｓ１５１０）、印刷が終了したと判定されたときは印刷待機モードに進み（Ｓ１５１１）、このフローを終了する。
【００９２】
上記のように印字ヘッド周辺の湿度を加味することにより、予備吐出の際に、むやみに多くのインク滴を吐出しなくても予備吐出の目的を達成できるので、高画像品位を図ることができる。
【図面の簡単な説明】
【００９３】
【図１】本発明の予備吐出方法が実行されるプリンタの一例を模式的に示す正面図である。
【図２】図１のプリンタの電気的な系統を示すブロック図である。
【図３】ノズルとその周辺部を示す断面図である。
【図４】（ａ）は、発熱体を発熱させる前の待機状態を示す模式図であり、（ｂ）は、発熱体が発熱してインク中に泡が発生すると同時にインク吐出口からインクが押し出された状態を示す模式図であり、（ｃ）は、消泡すると共にインク吐出口から吐出したインク滴が主滴と副滴に分離した状態を示す模式図であり、（ｄ）は、主滴が記録媒体に着弾した状態を示す模式図であり、（ｅ）は、主滴に遅れて副滴が記録媒体に着弾した状態を示す模式図である。
【図５】発熱体を発熱させるタイミングを示す説明図である。
【図６】インク吐出口のインクが大気中に暴露されたときの経時変化を模式的に示す断面図であり、（ａ）は、増粘インクが無い状態を示す断面図であり、（ｂ）は、粘性の低い（粘度の低い）増粘インクが生成された状態を示す断面図であり、（ｃ）は、粘性の高い（粘度の高い）増粘インクが生成された状態を示す断面図である。
【図７】比較的粘度の低い増粘インクのときに予備吐出を実行した場合のインクの挙動を模式的に示す、（ａ）は、比較的粘度の低い増粘インクが生成された状態を模式的に示す断面図であり、（ｂ）は、予備吐出のために気泡を発生させた状態を模式的に示す断面図であり、（ｃ）は、比較的粘度の低い増粘インクを含んだインクを予備吐出させた状態を模式的に示す断面図である。
【図８】１２８個のノズルが形成された印字ヘッドについて１ライン（紙の搬送方向（矢印Ａ方向）に直交する幅方向（矢印Ｗ方向）の一ライン）に一つのインク滴を紙面予備吐出した状態を示す平面図である。
【図９】図８と同じく１２８個のノズルが形成された印字ヘッドについて１０ラインに一つのインク滴を紙面予備吐出した状態を示す平面図である。
【図１０】一つの画像と次の画像の間に紙面予備吐出する一例を模式的に示す平面図である。
【図１１】（ａ）は、主滴と副滴を模式的に示す断面図であり、（ｂ）は、休止拡散時間Ｔ２に対する主滴及び副滴の吐出速度を表すグラフである。
【図１２】休止拡散時間Ｔ２に対するインク滴の吐出量を表すグラフである。
【図１３】本発明の予備吐出方法を実行するプリンタ１０における手順の一例を示すフロー図である。
【図１４】外気温度が一定のときにおける記録ヘッド近傍の湿度と休止拡散時間Ｔ２との関係を示すグラフである。
【図１５】実施例２の予備吐出方法を実行するプリンタにおける手順の一例を示すフロー図である。
【符号の説明】
【００９４】
１０  プリンタ
２２Ｋ、２２Ｃ、２２Ｍ、２２Ｙ  印字ヘッド
２２Ｋｎ  ノズル
Ｔ１  予備加熱時間
Ｔ２  休止拡散時間
Ｔ３  発泡加熱時間
Ｉｄ  インク滴
ｍ  インク滴の主滴
ｓ  インク滴の副滴
【図１】
2008094007.tif 000009
【図２】
2008094007.tif 000010
【図３】
2008094007.tif 000011
【図４】
2008094007.tif 000012
【図５】
2008094007.tif 000013
【図６】
2008094007.tif 000014
【図７】
2008094007.tif 000015
【図８】
2008094007.tif 000016
【図９】
2008094007.tif 000017
【図１０】
2008094007.tif 000018
【図１１】
2008094007.tif 000019
【図１２】
2008094007.tif 000020
【図１３】
2008094007.tif 000021
【図１４】
2008094007.tif 000022
【図１５】
2008094007.tif 000023